(57)【特許請求の範囲】
【請求項１】
球受皿を有する上皿本体の底部に添わせ、前記球受皿に形成する整列通路の先端に設ける球出口を開閉するシャッタユニットを備えてなるパチンコ機の上皿であって、前記シャッタユニットは箱形のケースと、前記ケースの内部の一半に収められるシャッタと、該ケースの内部の他半に収められ操作ボタンの押し込みによって操作される摺動軸と、前記シャッタと前記摺動軸とを連結する揺動レバーとを有し、前記シャッタは前記ケース内部に前後方向に摺動自由に収め先端のシャッタ片を前記ケースの背面部に開設する開口部から出し入れ自由にし、また前記摺動軸は前記ケース内部に前後方向に摺動自由に収めて前記操作ボタンを前記ケースの前面部から露出させ、また前記揺動レバーは前記シャッタと前記摺動軸との中間において揺動自由に支持すると共に、その一方の腕を前記シャッタに、他方の腕を前記摺動軸にそれぞれピンを介して滑合連結して構成し、該シャッタユニットを前記ケースを介して前記上皿本体の底部に添わせ該上皿本体の取付基部に固定して、常には前記シャッタ片を前記開口部から突き出して前記整列通路の球出口を閉塞し、開放時には前記操作ボタンの押し込みによって前記揺動レバーを介して前記シャッタを後退させ、前記シャッタ片をケース内に引き入れ前記球出口を開放するようにしてなることを特徴としたパチンコ機の上皿。
【請求項２】
請求項１の記載において、シャッタとシャッタユニットのケースとの間には常時シャッタを閉塞方向に付勢するバネ部材を介在させてなることを特徴としたパチンコ機の上皿。
【請求項３】
請求項１の記載において、操作ボタンの摺動軸の先端には係合膨出部を設け、他方該係合膨出部が対面するシャッタユニットのケース背面部にはプッシュラッチを備え、前記操作ボタンの押込みによりシャッタを開放したとき前記係合膨出部を前記プッシュラッチに係合拘束させて開放状態を維持できるようにしてなることを特徴としたパチンコ機の上皿。
【請求項４】
請求項１の記載において、シャッタユニットのケースには取付片を設け、該取付片を介して上皿本体の取付基部にネジ止め固定することを特徴としたパチンコ機の上皿。
【発明の詳細な説明】
【０００１】
【発明の属する技術分野】
この発明は、パチンコ機に関するもので、更に詳しくは打球発射装置に向けてパチンコ球を供給する上皿に関する。
【０００２】
【従来の技術】
パチンコ機の上皿は賞球装置から放出される賞球を受け取り、またゲーム開始に伴って補給する打ち球を貯めてこれより一個づつ打球発射装置に送り出し、連続的に打球を発射できるようにしてある。このためこの上皿は球を貯留する球受皿と、この球受皿に貯留した球を勾配を利用して一列に整列させ一個づつ送り出す整列通路とを有し、この通路の先端から打球発射装置に打球を誘導するようにしてある。
【０００３】
その一方、ゲームが終了し貯留した球を抜き出す場合に備えて上皿には上記整列通路の先端に下皿に続く球抜き通路を接続し、この接続口、つまり球出口に臨んで開閉するシャッタを設け、遊技中にはこのシャッタを閉じて前記打球発射装置に接続し、球抜きに際してはシャッタを開いて前記球抜き通路に接続し下皿に落とせるようにしてある。
【０００４】
上皿における上記シャッタは球抜きの上から不可欠の要素となっており、従来から上皿に対して一体のものとして装備されている。しかし、上皿がプラスチックを材料にして成形されている現在でもこのシャッタを組込むことは簡単ではなく製造上の問題となっている。
シャッタに関しては上皿と共に種々の構造が提案されており、従来から多くの実用例があるが、ここで共通していることは複数の部品からなることと、各部品が小さいこと、そして一定の関係で組合わないと作動しないこと、更にはそれぞれの部品が、別体に成形される上皿本体の定位置に定められた状態で組付けられなければならないことになっていることである。
【０００５】
実公平４ー２１５７２号公報に記載の装置は従来例の一例である。ここに示されるように玉受皿本体６ａとして成形される上皿本体に対して別体で成形されるシャッタ装置は本体６ａに予め形成する軸１１に操作摘み１０を軸着し、また枢軸１９に逆さＬ字形リンク１８を軸着して、このリンク１８の係合ピン２０を同時に開閉部材（シャッタ）１２の縦長孔１６に挿入する等して本体の開口部９内に収めるように組付け構成するものとしている。
【０００６】
【発明が解決しようとする課題】
この様に従来の上皿は予め特定される狭い部所に複数の、しかも小さな部品からなるシャッタ装置を部品相互を組合せながら組付ける必要があり極めて厄介な作業となっており、またときには正常な組立ができずに不良品となることがあった。
本発明はこの様な実情に鑑み開発されたもので、その主たる目的は複数の部品からなるシャッタをユニット化して上皿本体とは別体に独立して組立形成し、その一方上皿本体にはシャッタユニットを取付ける取付基部を設けてこの取付基部を介してシャッタユニットを組付けることにによって直ちに組立を完成できるようにしたパチンコ機の上皿を提供しようとするものである。
【０００７】
特に本発明においては上皿本体とは別にシャッタの諸部品を収めるユニットケースを形成し、このケースに部品を組付けることによって作業性の改善を図り、容易に且つ正確な部品の組付けを可能にすると同時に、このケースを取付基部に止め付けることで上皿に対する組付けを完了し、迅速に製造できるようにしたことにある。
【０００８】
【課題を解決するための手段】
本発明は上述の目的を達成するため、球受皿と整列通路を一体に有する上皿本体に設けられる取付基部に、シャッタとこのシャッタを揺動レバーを介して開閉作動させる操作ボタンとを内蔵してなるシャッタユニットを取付け、前記整列通路先端の球出口に上記シャッタを出没自由に臨ませ、また前記上皿本体並びに取付基部の前面に飾りカバーを添わせて前記シャッタユニットを被覆すると共に、該飾りカバーに開設する透孔を通して前記操作ボタンをカバー前面に突出させてなることを特徴としたパチンコ機の上皿を提供することにある。
【０００９】
また本発明は、前記シャッタはシャッタユニットのケース背面部に開設する開口部を通して前後方向に摺動自由に収め、また操作ボタンは延設する摺動軸を前後方向に向けてシャッタユニットのケース前面部に開設する開口部に通し前後方向に摺動自由に収めると共に、揺動レバーは前記シャッタと操作ボタンの間に設ける支軸に長さの途中を回動自由に軸着し、且つ一端を前記シャッタに、他端を操作ボタンに各回動自由に連結して操作ボタンの押込み操作によって前記シャッタを後退させ、整列通路の球出口を開放可能にしてなることを特徴としたパチンコ機の上皿を提供することにある。
【００１０】
また本発明は、前記シャッタとシャッタユニットのケースとの間には常時シャッタを閉塞方向に付勢するバネ部材を介在させてなることを特徴としたパチンコ機の上皿を提供することにある。
【００１１】
また本発明は前記操作ボタンの摺動軸の先端に係合膨出部を設け、他方該係合膨出部が対面するシャッタユニットのケース背面部にプッシュラッチを備えて操作ボタンの押込みによりシャッタを開放したとき前記係合膨出部を前記プッシュラッチに係合拘束させ、開放状態を維持できるようにしてなることを特徴としたパチンコ機の上皿を提供することにある。
【００１２】
また更に本発明は前記シャッタユニットのケースには取付片を設け、該取付片を介して上皿本体の取付基部にネジ止め固定することを特徴としたパチンコ機の上皿を提供することにある。
次に、本発明を明らかにするため図面に示す実施例につき説明し、併せてその他の特徴を明らかにする。
【００１３】
【実施の形態】
図１は本発明に係る上皿の使用状態を示す斜視図であり、図２は拡大平面図、図３は分解斜視図である。図面の符号１はパチンコ機の外枠、２は外枠に開閉自由に蝶着する前枠であり、３は前枠の前面上部に開閉自由に蝶着するガラス飾り枠、４はこのガラス飾り枠３の下に同じく一側縁を蝶着して開閉自由に取付けられる本発明に係る上皿であり、５は下皿である。
【００１４】
前枠２は額縁形に形成してその背面に遊技板（図示せず）を収めると共に、諸種の機構部品類を取付ける機構枠６を取付け、上記遊技板の前面をガラス飾り枠３で被うようにしてある。
図面には示していないが、ガラス飾り枠３の背面には遊技板の前面を被うガラスを装着するガラス枠を設けてあり、額縁形に形成されるガラス飾り枠３の開口部を塞ぐようにしてある。
【００１５】
上皿４は上記ガラス飾り枠３と共同して前枠２の開口部を塞ぐことになっており、その背後には前記機構枠６の前面に装備する打球発射装置やこの発射装置から打ち出された打球を遊技板面に誘導する打球誘導レール等が位置する。
この上皿４は上皿本体７を中心にその背面に添わせる裏板８、前面を被う飾りカバー９、そして、シャッタユニット１０を主要構成要素として含み、それぞれを別体に成形している（図３を参照）。
【００１６】
上皿本体７は前方に突き出す皿形をなす球受皿１１を中心にその左右に取付板部１２，１３を一体に有し、球受皿１１の右側部には前後の幅を右方に向けて徐々に狭める整列通路１４を連続させて設けている。この上皿本体７は上記整列通路１４の先端、つまり右端に球の送り口１５を設けると共に、この送り口に臨む先端の底部に下皿５に連通する球出口１６を設け、更にこの球出口１６に臨む取付板部１３の前面に前記シャッタユニット１０を取付けるための取付基部１７を設けている。
【００１７】
裏板８は上皿本体７の背面に接面させて球受皿１１の背後を塞ぎ皿形にするもので、左方上部に開設する流出口１８に背後から誘導樋１９を嵌め付けて使用時にはこの誘導樋１９を前記機構枠６の背面に装備する賞球放出樋（図示せず）の下端に臨ませ、放出賞球を受け止め上記流出口１８を通して球受皿１１に送り出せるようにしてある。
図中２０は前記整列通路１４の先端に臨み、実質的に送り口１５を形成する透孔であり、２１はこの透孔、つまり送り口１５を通して後方の打球発射装置に向けて流出する打球を止めるためのストッパーで、２２はストッパーを裏板８に組付けるためのケースである。
【００１８】
一方、飾りカバー９は上皿本体７の球受皿１１の弧状をなす前縁部を被覆する弧状のカバー主体９ａを中心にその左右両端に補助カバー部９ｂ，９ｃを備えており、全体の横幅を前記前枠２の横幅に揃えて同一の幅に形成されるガラス飾り枠３と共同して前枠前面を被覆できるようにしてある。上記左方の補助カバー部９ｂの背面には枢着装置２３を、また右方の補助カバー部９ｃの背面にはロック装置２４を組付けてある。
【００１９】
シャッタユニット１０は図４及び図５に示すようにシャッタ２５と、操作ボタン２６と、この操作ボタンの操作をシャッタ２５に伝える揺動レバー２７をケース２８の所定の位置に組付けて構成してある。
箱形に形成されるケース２８の左半部にはシャッタ２５を収める矩形の部屋２８ａを設け、この内部にシャッタ２５を収めケースの背面部２９に形成する開口部３０にシャッタ片２５ａを出し入れ自由に臨ませるようにしてある。
そして、このシャッタ２５はケースの前面部３１から後方に向けて突出するバネ受け軸３２にコイル状のバネ３３を巻装して常時前方に付勢され、シャッタの片２５ａを開口部３０を通して外に突き出すようにしてある。
【００２０】
操作ボタン２６は延設する摺動軸２６ａをケースの右半部の部屋２８ｂの前面部３１に設ける開口部３４に通して摺動自由に収められ、軸先端には蛇頭形の係合膨出部３５を一体に設けている。
一方、この操作ボタン２６と前記シャッタ２５との間に介在する揺動レバー２７は長さの中間に筒状の軸受部３６を設け、この軸受部３６をケースの底板に立設する支軸３７に嵌合軸承させて揺動自由に取付き、短い腕に設ける長孔３８を前記操作ボタン２６の摺動軸２６ａの長さの途中に設けるピン３９に滑合させ、また長い腕の先端に設けるピン４０を前記シャッタ２５に設ける長孔４１に滑合させてこの両者間に渡るようにしてある。
【００２１】
図中４２は操作ボタンを拘束するプッシュラッチである。このラッチは操作ボタン２６の摺動軸２６ａの先端と向かい合うケースの背面部２９にあってこれに開設する開口部４３に嵌着し、一対の挟持片４４，４４を軸先端の係合膨出部３５に対向させるようにしてある。
【００２２】
このシャッタユニット１０はケース２８をベースに組立られるもので、先ずケースのネジ受け軸３２にバネ３３を嵌め付けたのち上方からシャッタ２５を臨ませ、その下面に設ける凹部４５ににバネ３３を縮小させた状態で軸３２と共に収め、次にこの状態においてシャッタ２５を前面部３１に当接するまで移動させてシャッタ片２５ａを開口部３０に通し、これをケースの外に突き出させる。
ケース２８に収めたシャッタ２５は縮設したバネ３３によって常にはシャッタ片２５ａを外に突き出した状態に保持されることになる。
【００２３】
このシャッタ２５の装着後、他方の部屋２８ｂに操作ボタン２６を収め、その摺動軸２６ａを開口部３４に滑合させると共に、この開口部から室内方に向けて延設する樋状のガイド４６に収めて前後方向に摺動自在に取付け、次にこの操作ボタン２６とシャッタ２５の上から揺動レバー２７を臨ませ、軸受部３６を支軸３７に軸承させると共に、長孔３８をピン３９に、他方のピン４０をシャッタの長孔４１にそれぞれ滑合させて両者間に渡しその組付けを行う。
【００２４】
その一方、開口部４３に室内側からプッシュラッチ４２のケースを差し通して嵌め付け固定し、挟持片４４，４４を係合膨出部３５に対向させる。
このケースに対する組付けののち蓋４７を被せ、透孔４８に通すビス（図示せず）をケース２８のネジ受け４９にネジ付け組立を完成させることになる。
【００２５】
この様にして構成したシャッタユニット１０は前記上皿本体７に設ける取付基部１７に前面側から臨ませ、ケース２８に設ける取付片５０，５１を接面させたところでそれぞれに設けるネジ受け部５２，５３にネジを通して上記取付基部にネジ付け固着することになる。
このシャッタユニット１０の取付けによりシャッタの片２５ａは上皿本体７の整列通路先端に設ける球出口１６の直下に臨み、これを塞ぐことになる。
【００２６】
上記シャッタユニット１０を組付ける上皿本体７は整列通路１４に沿ってレール５４を装着し、またこの通路１４の前方にカバー５５を組付けて完成し、その背面に裏板８を添わせる。
裏板８は前述の様に構成されるもので、左右の幅を上皿本体７に揃えて左右の板部１２，１３を前面に接面させることで一体となる。
この上皿本体７と裏板８との組合せたのちその前面から飾りカバー９を添わせ三者を揃えることになる。
【００２７】
飾りカバー９は主体９ａの前面に照明ランプの装着部５６を設け、これにランプカバー５７を被せる一方、左右の補助カバー部９ｂ，９ｃの前面に同じくランプ装着部５８，５９を設けてランプカバー６０，６１で被覆するようにしてある。
この飾りカバー９の左右の補助カバー部９ｂ，９ｃを含む横幅は前記上皿本体７より大きくして補助カバー部９ｂ，９ｃの外側の半分が左右に突き出るようにしてあり、この背面部に設ける枢着装置２３とロック装置２４がそれぞれ背面側において露出するようにしてある。
【００２８】
この飾りカバー９は前記上皿本体７と裏板８を合せたところで上皿本体の前面に添わせ、裏板の背後から通すネジを両取付板部１２，１３を貫かせて補助カバー部９ｂ，９ｃの背面に設けるネジ受け部（図示せず）に揉み込んで三者の組付を行い上皿４を完成させる。
この上皿は補助カバー部９ｂの背後に取付ける枢着装置２３を介してガラス飾り枠３と下皿５の左側端間に枢着し、ここを支点に開閉自由に蝶着され、他方右端の補助カバー部９ｃに設けるロック装置２４を前枠の前面部に設ける係止部（図示せず）に掛け止めることによって閉塞状態に拘束されるようにしてあり、前枠２の前面に取付けられる。
【００２９】
図６及び図７は上述の様にして構成された上皿４に組込まれたシャッタユニット１０の作動を説明する拡大平面図である。図６はシャッタが球出口１６を塞いで整列通路１４の球を送り口１５を通して打球発射装置に送り出す使用時の状態を示し、図７は球抜きの状態を示している。
シャッタユニット１０は取付基部１７に固定されその前面を飾りカバー９で被ったとき、操作ボタン２６をこのカバー９、そしてランプカバー５７に各形成する透孔６２，６３を通して前面に露出するようにしてあり、使用時にはバネ３３の付勢で前方に突き出し、またシャッタ２５を開口部３０から突き出させて球出口１６を塞ぐことになる（図６）。
【００３０】
この使用状態において、操作ボタン２６を透孔６２，６３内に押込むと、プッシュラッチ４２の摺動子４２ａがケース内に後退して挟持片４４，４４が閉じ合い摺動軸２６ａの係合膨出部３５を咬持して前方への戻りを拘束することになる（図７）。その一方、この押込み移動に伴ってピン３９に滑合する長孔３８を介して揺動レバー２７の短い腕が後退し、支軸３７を支点にして長い腕が前進しその先端のピン４０によりシャッタ２５はバネ３３を圧縮させながら前方に摺動し、その片２５ａを球出口１６から退かせ、開放することになる。
【００３１】
シャッタ２５は常時バネ３３により閉塞方向に付勢されるが、プッシュラッチ４２の拘束によって開放状態が維持され、球受皿の球はこの間球出口１６を通して下皿５に抜き取られることになる。
【００３２】
プッシュラッチ４２には例えば特公平３ー５３４３０号公報で公表される装置が使用される。そして、ここでは上記拘束状態において再度操作ボタン２６を押し込むと、ケース内に備えるカムの係合から摺動子が開放されて前方に伸び出し、これに伴って挟持片４４，４４が開き摺動軸２６ａの拘束を解くようにしてある。
このためバネ３３を圧縮したシャッタ２５は揺動レバーを伴って前進し、その片２５ａを再び球出口に臨ませ閉塞し、球の流下を止めることになる。
【００３３】
【発明の効果】
本発明は上述説明の様に構成され使用されるもので、上皿の球受皿１１に続く整列通路１４の先端部に設けられる球出口１６を塞ぐシャッタ２５はケース２８に収められるユニットとして構成され、またケースを介して上皿本体７の取付基部１７に止め付けることによって球出口１６に臨んで装備することができることから、上記上皿本体に対してシャッタを構成する部品、具体的にはシャッタ２５、操作ボタン２６、揺動レバー２７等を個別に組付ける必要がなく極めて迅速に、容易に且つ正確に組付けることができる。
その一方、シャッタユニット１０はケース２８を中心に上記所定の部品を順序よく簡単に組付けられることから製造が容易であると共に、ユニットの組立と同時に独立して作動をチェックできることから上皿の組立後に支障を発見するようなことがなく良質な上皿を提供できる利点がある。
また本発明はシャッタをユニット化していることからシャッタ自体に不都合を生じた場合上皿からケース毎外して交換することができ、従って、容易に補修できる利点がある。
【図面の簡単な説明】
【図１】使用状態を説明する斜視図。
【図２】上皿の拡大平面図。
【図３】上皿の分解斜視図。
【図４】シャッタユニットの拡大斜視図。
【図５】シャッタユニットの分解斜視図。
【図６】シャッタにより整列通路先端の球出口を閉塞した状態の一部欠截する要部の拡大平面図。
【図７】操作ボタンの押込みによってシャッタを開放した状態の一部欠截する要部の拡大平面図である。
【符号の説明】
２              前枠
３              ガラス飾り枠
４              上皿
５              下皿
７              上皿本体
８              裏板
９              飾りカバー
１０            シャッタユニット
１１            球受皿
１４            整列通路
１６            球出口
１７            取付基部
２５            シャッタ
２６            操作ボタン
２６ａ          摺動軸
２７            揺動レバー
２８            ケース
２９            ケースの後面部
３０            開口部
３１            ケースの前面部
３３            バネ
３４            開口部
３５            摺動軸先端の係合膨出部
３７            支軸
４２            プッシュラッチ
４７            ケースのカバー
５０，５１      取付片
【図１】
0003838686.tif 000002
【図２】
0003838686.tif 000003
【図３】
0003838686.tif 000004
【図４】
0003838686.tif 000005
【図５】
0003838686.tif 000006
【図６】
0003838686.tif 000007
【図７】
0003838686.tif 000008